【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
普通図柄の当りによって行う特定入賞口の可変開口部材の時限開放を時間間隔をおいて順次与える一連の複数の開放時限によって行い、その各開放時限で開放された上記特定入賞口に遊技球が入賞することによって作動可能とされる特別装置作動判定図柄の作動は該各開放時限で各１回までに限り、かつ該特別装置作動判定図柄が当りになったときは特別装置を作動させるがその特別装置の作動は上記時限開放１回に対して１回までに限り、しかして上記特別装置作動判定図柄の作動機会が最大で上記開放時限の数だけ繰り返し与えられるようにすることを特徴とするぱちんこ遊技機による遊技方法。
【請求項２】
請求項１に記載のぱちんこ遊技機による遊技方法であって、上記時限開放における上記開放時限の数を上記普通図柄の当り図柄の種類によって、最少１である場合を含み得て異ならしめることを特徴とするぱちんこ遊技機による遊技方法。
【請求項３】
遊技盤の遊技領域に球を打ち込んで遊技が可能なぱちんこ遊技機であって；
普通図柄の当り図柄判定手段と；
上記遊技領域内に配設され、遊技球が入賞し易い開放状態と入賞し難い非開放状態とに切り替え自在な可変開口部材を備えた特定入賞口と；
上記特定入賞口に入賞した入賞遊技球が通過することによって作動する特別装置作動判定図柄作動スイッチと；
上記特別装置作動判定図柄作動スイッチを通過した上記入賞遊技球が一時停留する遊技球停留部と；
上記特別装置作動判定図柄作動スイッチの上方に位置して遊技球が該作動スイッチに達し得ないよう通路を遮断するオン状態と該遮断を解除するオフ状態とに切り替え自在なストッパー手段と；
上記遊技球停留部に停留する遊技球を開放して特別装置作動領域に誘導して排出する場合と外れ領域に誘導して排出する場合とに切り換え誘導可能な停留遊技球切り換え誘導手段と；
上記特定入賞口の上記可変開口部材が時間間隔を置いて順次与える一連の複数の開放時限の間だけ開放状態になるようにする該特定入賞口の時限開放を、上記普通図柄の当たり図柄判定手段の判定結果に基づいて実施する可変開口部材開閉制御手段と；
上記ストッパー手段を、開放された上記特定入賞口に入賞した遊技球が特別装置作動判定図柄作動スイッチを通過して上記遊技球停留部に停留することが生じるまでの間は現に進行中の開放時限中はオフ状態にして上記遊技球が上記停留部に停留するのを待つが、上記遊技球が上記遊技球停留部に停留することが生じた後はオン状態とし、しかしてもし上記特別装置作動判定図柄が当たりとなった場合は該オン状態を現に進行中の上記特定入賞口の時限開放の終了まで維持し、そしてもし上記特別装置作動判定図柄が外れの場合はオン状態のままで現に進行中の開放時限の終了まで維持して現に進行中の上記時限開放を終わるかもしくは上記現に進行中の開放時限の後に一連の開放時限の残り開放時限があるときはその開放時限において先の開放時限の場合と同様にオンオフ制御を行うストッパー手段オンオフ制御手段と；
上記停留遊技球切り換え誘導手段を、上記特別装置作動判定図柄が当りの場合には上記遊技球停留部に停留した遊技球を上記特別装置作動領域へ誘導し、該特別装置作動判定図柄が外れの場合には上記停留した遊技球を外れ領域へ誘導するよう切り替え駆動する停留遊技球切り換え誘導手段駆動制御手段と；
を備えたことを特徴とするぱちんこ遊技機。
【請求項４】
遊技盤の遊技領域に球を打ち込んで遊技が可能なぱちんこ遊技機であって；
普通図柄の当り図柄の種類判定手段と；
上記遊技領域内に配設され、遊技球が入賞し易い開放状態と入賞し難い非開放状態とに切り替え自在な可変開口部材を備えた特定入賞口と；
上記特定入賞口に入賞した入賞遊技球が通過することによって作動する特別装置作動判定図柄作動スイッチと；
上記特別装置作動判定図柄作動スイッチを通過した上記入賞遊技球が一時停留する遊技球停留部と；
上記特別装置作動判定図柄作動スイッチの上方に位置して遊技球が該作動スイッチに達し得ないよう通路を遮断するオン状態と該遮断を解除するオフ状態とに切り替え自在なストッパー手段と；
上記遊技球停留部に停留する遊技球を開放して特別装置作動領域に誘導して排出する場合と外れ領域に誘導して排出する場合とに切り換え誘導可能な停留遊技球切り換え誘導手段と；
上記特定入賞口の上記可変開口部材が１つの開放時限もしくは時間間隔を置いて順次与える一連の複数の開放時限の間だけ開放状態になるようにする該特定入賞口の時限開放を、上記普通図柄の当たり図柄の種類判定手段の判定結果に応じて該時限開放における開放時限数を異ならしめて実施する可変開口部材開閉制御手段と；
上記ストッパー手段を、開放された上記特定入賞口に入賞した遊技球が特別装置作動判定図柄作動スイッチを通過して上記遊技球停留部に停留することが生じるまでの間は現に進行中の開放時限中はオフ状態にして上記遊技球が上記停留部に停留するのを待つが、上記遊技球が上記遊技球停留部に停留することが生じた後はオン状態とし、しかしてもし上記特別装置作動判定図柄が当たりとなった場合は該オン状態を現に進行中の上記特定入賞口の時限開放の終了まで維持し、そしてもし上記特別装置作動判定図柄が外れの場合はオン状態のままで現に進行中の開放時限の終了まで維持して現に進行中の上記時限開放を終わるかもしくは上記現に進行中の開放時限の後に一連の開放時限の残り開放時限があるときはその開放時限において先の開放時限の場合と同様にオンオフ制御を行うストッパー手段オンオフ制御手段と；
上記停留遊技球切り換え誘導手段を、上記特別装置作動判定図柄が当りの場合には上記遊技球停留部に停留した遊技球を上記特別装置作動領域へ誘導し、該特別装置作動判定図柄が外れの場合には上記停留した遊技球を外れ領域へ誘導するよう切り替え駆動する停留遊技球切り換え誘導手段駆動制御手段と；
を備えたことを特徴とするぱちんこ遊技機。
【手続補正２】
【補正対象書類名】明細書
【補正対象項目名】００１２
【補正方法】変更
【補正の内容】
【００１２】
請求項３に記載の本発明のぱちんこ遊技機は、
遊技盤の遊技領域に球を打ち込んで遊技が可能なぱちんこ遊技機であって；
普通図柄の当り図柄判定手段と；
上記遊技領域内に配設され、遊技球が入賞し易い開放状態と入賞し難い非開放状態とに切り替え自在な可変開口部材を備えた特定入賞口と；
上記特定入賞口に入賞した入賞遊技球が通過することによって作動する特別装置作動判定図柄作動スイッチと；
上記特別装置作動判定図柄作動スイッチを通過した上記入賞遊技球が一時停留する遊技球停留部と；
上記特別装置作動判定図柄作動スイッチの上方に位置して遊技球が該作動スイッチに達し得ないよう通路を遮断するオン状態と該遮断を解除するオフ状態とに切り替え自在なストッパー手段と；
上記遊技球停留部に停留する遊技球を開放して特別装置作動領域に誘導して排出する場合と外れ領域に誘導して排出する場合とに切り換え誘導可能な停留遊技球切り換え誘導手段と；
上記特定入賞口の上記可変開口部材が時間間隔を置いて順次与える一連の複数の開放時限の間だけ開放状態になるようにする該特定入賞口の時限開放を、上記普通図柄の当たり図柄判定手段の判定結果に基づいて実施する可変開口部材開閉制御手段と；
上記ストッパー手段を、開放された上記特定入賞口に入賞した遊技球が特別装置作動判定図柄作動スイッチを通過して上記遊技球停留部に停留することが生じるまでの間は現に進行中の開放時限中はオフ状態にして上記遊技球が上記停留部に停留するのを待つが、上記遊技球が上記遊技球停留部に停留することが生じた後はオン状態とし、しかしてもし上記特別装置作動判定図柄が当たりとなった場合は該オン状態を現に進行中の上記特定入賞口の時限開放の終了まで維持し、そしてもし上記特別装置作動判定図柄が外れの場合はオン状態のままで現に進行中の開放時限の終了まで維持して現に進行中の上記時限開放を終わるかもしくは上記現に進行中の開放時限の後に一連の開放時限の残り開放時限があるときはその開放時限において先の開放時限の場合と同様にオンオフ制御を行うストッパー手段オンオフ制御手段と；
上記停留遊技球切り換え誘導手段を、上記特別装置作動判定図柄が当りの場合には上記遊技球停留部に停留した遊技球を上記特別装置作動領域へ誘導し、該特別装置作動判定図柄が外れの場合には上記停留した遊技球を外れ領域へ誘導するよう切り替え駆動する停留遊技球切り換え誘導手段駆動制御手段と；
を備えたことを特徴とする。


【手続補正３】
【補正対象書類名】明細書
【補正対象項目名】００１３
【補正方法】変更
【補正の内容】
【００１３】
この請求項３に記載の発明のぱちんこ遊技機は、上記請求項１に記載の遊技方法の発明の実施に直接使用することができ、上記発明と同様な作用・効果をいわゆる権利のパンクを生じさせることなく確実に奏する。
請求項４に記載の本発明のぱちんこ遊技機は、
遊技盤の遊技領域に球を打ち込んで遊技が可能なぱちんこ遊技機であって；
普通図柄の当り図柄の種類判定手段と；
上記遊技領域内に配設され、遊技球が入賞し易い開放状態と入賞し難い非開放状態とに切り替え自在な可変開口部材を備えた特定入賞口と；
上記特定入賞口に入賞した入賞遊技球が通過することによって作動する特別装置作動判定図柄作動スイッチと；
上記特別装置作動判定図柄作動スイッチを通過した上記入賞遊技球が一時停留する遊技球停留部と；
上記特別装置作動判定図柄作動スイッチの上方に位置して遊技球が該作動スイッチに達し得ないよう通路を遮断するオン状態と該遮断を解除するオフ状態とに切り替え自在なストッパー手段と；
上記遊技球停留部に停留する遊技球を開放して特別装置作動領域に誘導して排出する場合と外れ領域に誘導して排出する場合とに切り換え誘導可能な停留遊技球切り換え誘導手段と；
上記特定入賞口の上記可変開口部材が１つの開放時限もしくは時間間隔を置いて順次与える一連の複数の開放時限の間だけ開放状態になるようにする該特定入賞口の時限開放を、上記普通図柄の当たり図柄の種類判定手段の判定結果に応じて該時限開放における開放時限数を異ならしめて実施する可変開口部材開閉制御手段と；
上記ストッパー手段を、開放された上記特定入賞口に入賞した遊技球が特別装置作動判定図柄作動スイッチを通過して上記遊技球停留部に停留することが生じるまでの間は現に進行中の開放時限中はオフ状態にして上記遊技球が上記停留部に停留するのを待つが、上記遊技球が上記遊技球停留部に停留することが生じた後はオン状態とし、しかしてもし上記特別装置作動判定図柄が当たりとなった場合は該オン状態を現に進行中の上記特定入賞口の時限開放の終了まで維持し、そしてもし上記特別装置作動判定図柄が外れの場合はオン状態のままで現に進行中の開放時限の終了まで維持して現に進行中の上記時限開放を終わるかもしくは上記現に進行中の開放時限の後に一連の開放時限の残り開放時限があるときはその開放時限において先の開放時限の場合と同様にオンオフ制御を行うストッパー手段オンオフ制御手段と；
上記停留遊技球切り換え誘導手段を、上記特別装置作動判定図柄が当りの場合には上記遊技球停留部に停留した遊技球を上記特別装置作動領域へ誘導し、該特別装置作動判定図柄が外れの場合には上記停留した遊技球を外れ領域へ誘導するよう切り替え駆動する停留遊技球切り換え誘導手段駆動制御手段と；
を備えたことを特徴とする。


【手続補正４】
【補正対象書類名】明細書
【補正対象項目名】００１９
【補正方法】変更
【補正の内容】
【００１９】
遊技盤２の右側中央付近には、第３種始動口１０が設けられている。この第３種始動口１０は、上記普通図柄の当たりによって開放された上記特定入賞口アッセンブリ７の特定入賞口７０に入賞した遊技球が更に後述する特別装置作動判定図柄を始動させそれが当たりになったときに初めて発生される特別な遊技をする権利の行使に使用される装置即ち特別装置の一部をなすものである。ここではこの第３種始動口１０は図に現していないが、打ち出された遊技球が１つだけ一時停留可能な停留凹所を備え、該停留凹所の底面は、該停留凹所の直下の地点を回転中心として回動自由に取り付けられた全体として円盤状をなす回動盤の周面によって形成されるようになっている。そしてその回動円盤の上記周面上の一地点には、回転中心に向かって深いスリット状の切り込みが形成され該切り込みの上記回転中心側に位置する底面は遊技盤後方に向け斜め下方に傾斜する傾斜面とされた遊技球排出用のスリット溝が設けられており、一定の比較的ゆっくりした回転速度で常時回転している。そして遊技中に遊技球が上記第３種始動口１０の上記停留凹所に停留することが起きると、回転中の上記回動円盤の上記遊技球排出用スリット溝が丁度上死点の位置にきたときに該停留遊技球を排出用スリット溝内に取り込んで遊技盤後方に設けられた排出通路内に排出する。この排出通路には第３種始動口入賞センサ１０ａ（電磁型通過センサ、但し図示されていない）が設けられている。上記第３種始動口１０の直下には該第３種始動口１０とともに特別装置の一部をなす大入賞口１１が配設されている。上記第３種始動口入賞センサ１０ａは、上記特別装置を使用して行う特別な遊戯をする権利が発生した時点から後には上記大入賞口１１の可変開口部材、ここでは通常アタッカーと呼ばれる前後方向に可変の扉、の開放を駆動制御するセンサとして用いられる。上記アタッカーの開閉は大入賞口開閉ソレノイド１１ｂ（但し図示していない）によって駆動される。上記アタッカーはその解放後、１０秒を経過する時点か、最大ここでは１０個の遊技球の入賞が大入賞口用カウントスイッチ１１ａ（電磁型通過センサ、但し図示されていない）でカウントされる時点かのいずれか早く到来する時点で閉とされる。そして第３種入賞口１０の上記停留凹所へ遊技球が停留されその後これが排出される毎に上記第３種始動口入賞センサ１０ａの出力によってスイッチされる大入賞口１１のアタッカーの上記解放が、ここでは合計１６回まで行われて後に特別な遊技をする権利が終わるようにされる。なお、通常は上記権利が発生中に新たに上記権利が発生してしまったときは現に継続中の権利とともに全て消滅してしまうようにされる。


【手続補正５】
【補正対象書類名】明細書
【補正対象項目名】００２１
【補正方法】変更
【補正の内容】
【００２１】
次に、図２から図６まで基づいて本実施形態における上記特定入賞口アッセンブリ７について詳細に説明する。遊技盤２に対してビス止めにより取り付けられる台板７２の表面側に可変開口部材としての左右の電動チューリップ片（以下、単に電動チューリップと言う）７１、７１が該台板７２に対して、ここでは後述する前飾り板（８２）を介して立設された軸７１ａ、７１ａに対して、回動自在に取り付けられている。該電動チューリップ７１、７１には上記回転軸７１ａから偏芯した位置に、該回転軸と平行で且つ該台板７２に設けられた細長の孔の中を該電動チューリップ７１、７１の開閉動作（即ち回動運動）と一体の回動が自在とされて貫通する電動チューリップ開閉駆動棒７１ｂ、７１ｂを備えている。この左右の電動チューリップ開閉駆動棒７１ｂ、７１ｂを上記回転軸７１ａ，７１ａとほぼ同じ高さ位置から同時に上方に動かすと左右の電動チューリップ７１、７１が開放され、下方に動かすと閉じるようにされている。かかる電動チューリップ７１、７１の開閉駆動は、ソレノイドベース（Ａ）７３ａとソレノイドベース（Ｂ）７３ｂ（これらは台板７２の後面側と後述する球流しモータベース（８７）とにまたがってネジ止め固定されている）とに取り付けられた電動チューリップ開閉ソレノイド７４の芯棒７５（上記芯棒７５はコイルバネ７６によって常時は前方に突出する方向に付勢されている）の前後方向運動を、上記チューリップ開閉駆動棒７１ｂ、７１ｂを上下方向に動かすための上下方向運動に、リンク機構を用いて変換することで行っている。リンク機構は、台板７２側から後方に向けて立設された２本の腕板（図面にはその一方のほぼ垂直を向く腕部７２ａだけが現されている）によって支持された軸７８に対し、Ｌ字の角の位置を回転中心として枢軸取り付けされるＬ字形リンク７９からなるリンク機構が用いられている。そして該Ｌ字形リンク７９の一方のほぼ垂直を向く腕部７９ａの先側には長孔が形成されていて、該長孔に上記ソレノイド７４の芯棒７５の先側の係合軸部７５ａが摺動・回動自在に挿通されることによって、該芯棒７５の前後方向の動きがＬ字形リンク７９の回動に変えられる。そしてＬ字形リンク７９の他方のほぼ前後方向を向くリンク腕部（図示されていない）の先端には左右方向に長いスリット溝を形成する部材を備えていて該スリット溝内には前記左右のチューリップ開閉駆動棒７１ｂ，７１ｂが緩く嵌め入れられており、しかして該スリット溝形成部材のほぼ上下方向直線運動に近い回動運動が該左右の電動チューリップ開閉駆動棒７１ｂ，７１ｂを該電動チューリップ７１、７１の回転中心の回りに回動させる。かくして電動チューリップ開閉ソレノイド７４がオフのときには心棒７５はコイルバネ７６によって前方に押し出された位置にきて電動チューリップ７１、７１を閉状態とし、オンのときは該心棒７５はコイルバネ７６に抗して後方に引き込まれた位置にきて電動チューリップ７１、７１を開放状態にする。なお、図３（イ）は電動チューリップ７１、７１が閉じた状態を示し、それ以外の図２、図３（ロ）及び図４から図６までは電動チューリップ７１、７１が開いた状態を示している。


【手続補正６】
【補正対象書類名】明細書
【補正対象項目名】００２３
【補正方法】変更
【補正の内容】
【００２３】
一方開放された上記電動チューリップ７１、７１が形成する特定入賞口アッセンブリ装置７の特定入賞口７０から入った入賞遊技球が該開口の直下に位置した上記停留凹所９１内に入ったときには、上記判定図柄作動スイッチ８５から検知出力が発生され、これによって上記特別装置（ここでは上記第３種始動口１０と上記大入賞口１１とを含んで構成される装置）の作動をするかしないかの判定表示をするための判定図柄の作動がオンされ、その表示器５に図柄の変動表示が開始される。上記判定図柄の図柄の変動表示と所定確率（ここでは３分の１の確率）での当り図柄の停止表示とは、上記普通図柄の場合と同様にして行われる。そしてこの判定図柄が当りになると上記回転体８６は右回りの１回転を開始し、その間に停留凹所９１内に停留され待機していた遊技球を上記回転体側凹所８６ａ内に取り込みそして更に上記右側の普通入賞通路９２側に排出するようにする。判定図柄が外れのときは左回りの１回転を開始し、上記遊技球を左側の普通入賞通路９３側に排出する。
遊技球停留部としての上記停留凹所９１のすぐ上方の位置には、本発明のストッパー手段としてのストッパー９５の弁部９５ａが上記台板７２に設けた孔から前方に向けて突出可能に設けられている。ここで該ストッパー９５は先側の上記弁部９５ａと中間の弁本体摺動部９５ｂと後端側の二股腕部９５ｃとからなる一体物からなっており、該弁本体摺動部９５ｂは厚板形状をなし、上記台板７２と上記球流しモーターベース８７との両方に設けられた角形状孔内に前後方向にだけ摺動自在に嵌め入れされている。かかるストッパー９５の前後方向運動の駆動は、上記ソレノイドベース（Ａ）７３ａとソレノイドベース（Ｂ）７３ｂとに取り付けられたストッパーオンオフソレノイド９６の芯棒（図示されない）の前後方向運動を、リンク機構を用いて拡大することによって行っている。そのリンク機構は、ほぼ棒形状をなしその上端寄りの位置を回転中心として、上記ソレノイドベース（Ａ）７３ａの左右の側板間に支持された軸（図示されない）に枢軸取り付けされる腕棒形リンク９７からなるリンク機構が用いられている。そして該腕棒形リンク９７の中間部には長孔が形成されていて、該長孔には上記ソレノイド９６の芯棒と一体の二股部９８の股間に支持された横方向軸を摺動・回動自在に挿通せしめている。そして該腕棒形リンク９７の下方端側の位置には該リンクと一体に左右方向張り出し軸が設けられていて、該左右方向張り出し軸は上記ストッパー９５の二股部９５ｃの各股板に形成された長孔内に摺動・回動可能に挿通されることによって、該ソレノイド９６の芯棒の前後方向の往復運動が上記ストッパー９５に拡大された前後方向往復運動として伝えられる。かくしてストッパーオンオフソレノイド９６がオフのときには心棒はコイルバネによって前方に押し出された位置にきてストッパー９５の弁部９５ａは台板７２の表面から突き出して遊技球が上記球停留凹所９１に達するのを阻止するストッパーオンの状態になる。ストッパーオンオフソレノイド９６がオンのときは心棒はコイルバネに抗して後方に引き込まれた位置にきてストッパー９５の弁部９５ａは上記台板７２の表面からちょうど引っ込んだ位置にきてストッパーオフの状態になる。図５は上記停留凹所９１に遊技球１００が停留するに至ったときに上記判定図柄作動スイッチ８５から検知出力が発生してストッパー９５がオンになった状態を示す。このストッパー９５は、現に継続していた電動チューリップ７１、７１の開放時限が終わるまでの間に上記判定図柄の作動が２回以上発生していわゆる権利がパンクする（第３種ぱちんこ遊技機の規約上、権利発生中に又権利が発生すると全て権利がなくなってしまうこと）可能性をなくするためと、引き続いて入賞してきた遊技球が既に停留凹所９１に停留している遊技球上に直接衝突することによって誤動作が生じることを防止するためと、電動チューリップ７１、７１の閉状態の間に何かのはずみで遊技球が上記特定入賞口７０に入賞して上記判定図柄作動スイッチ８５に検知出力を発生させ上記判定図柄を作動させてしまうことが起こり得ないようにするために設けられたものである。なお、上記停留凹所９１に遊技球が停留して上記ストッパー９５がオンとなった後の、未だ電動チューリップ７１、７１の開放時限が終了しない間に、該電動チューリップ７１、７１の開放された開口を通って続いて入賞してきた入賞球は、該ストッパーの弁９５ａによってその左右の側に設けられた普通入賞通路１０１、１０２に振り分けて排出される。


【手続補正７】
【補正対象書類名】明細書
【補正対象項目名】００３４
【補正方法】変更
【補正の内容】
【００３４】
図１６に示した当たり図柄３の電動チューリップ制御処理Ｓ１５６では、電動チューリップ７１、７１の時限開放を、３秒の開放時限を時間間隔１５秒をおいて２回与えると言う、一連の２つの開放時限で行うように制御する。先ずＳ１５６ー１ではタイマカウンタＴ2をゼロにリセットし、次いでＳ１５６ー２でタイマカウンタＴ1をゼロにリセットし、次いでＳ１５６ー３で電動チューリップ７１、７１を開放する。次いでＳ１５６ー４に進みＴ1が所定開放時限３秒に達したか否かを判断して、３秒の経過を待つ。３秒になったらＳ１５６ー５に進み電動チューリップ７１、７１を閉じる。次いでＳ１５６ー６に進みＴ2が電動チューリップ７１、７１を最後に閉駆動するべき所定時点２１秒に達していないことを確認して次のＳ１５６ー７に進みここでＴ1が２回目の電動チューリップ開放駆動時点１８秒を計時するまで待ってから、Ｓ１５６ー２へ戻り、Ｓ１５６ー２からＳ１５６ー５至るまでのステップで１回目と同様にして２回目の３秒間の開放時限を実現する。Ｓ１５６ー６ではＴ2が上記２１秒を越えたことを確認してこの処理を終わり、図８の基本遊技処理Ｓ１０のＳ１１に戻って基本遊技処理Ｓ１０を繰り返す。


【手続補正８】
【補正対象書類名】明細書
【補正対象項目名】００３７
【補正方法】変更
【補正の内容】
【００３７】
図１８に示した当たり図柄７の電動チューリップ制御処理Ｓ１５８では、電動チューリップ７１、７１の時限開放を、２秒の開放時限を時間間隔１２秒をおいて３回与えると言う、一連の３つの開放時限で行うように制御する。先ずＳ１５８ー１ではタイマカウンタＴ2をゼロにリセットし、次いでＳ１５８ー２でタイマカウンタＴ1をゼロにリセットし、次いでＳ１５８ー３で電動チューリップ７１、７１を開放する。次いでＳ１５８ー４に進みＴ1が所定開放時限２秒に達したか否かを判断して２秒の経過を待つ。２秒になったらＳ１５８ー５に進み電動チューリップ７１、７１を閉じる。次いでＳ１５８ー６に進みＴ2が電動チューリップ７１、７１を最後に閉駆動するべき時間３０秒に達していないことを確認して次のＳ１５８ー７に進みここでＴ1が２回目の電動チューリップ開放駆動時点１４秒を計時するまで待ってから、Ｓ１５８ー２へ戻り、再びＳ１５８ー２からＳ１５８ー７に至るまでの処理が先の場合と同様に繰り返されて２回目の開放時限の実現とそれに続く所定の待ち時間間隔がとられ、三度Ｓ１５８ー２に戻って以降のＳ１５８ー５までの処理で３回目の開放時限が実現され、Ｓ１５８ー６を経て図８の基本遊技処理Ｓ１０のＳ１１に戻り、この基本遊技処理Ｓ１０を繰り返す。